(57)【要約】【課題】複数の棒状体を計量可能で、複数の棒状体がまとまった状態を維持することができ、棒状体の品質の低下を防止できる蓋を提供すること。【解決手段】蓋１は、容器の開口に取り付け可能な蓋であって、容器の開口を閉塞する閉塞部１１と、閉塞部１１の一方の表面から延出する延出部１２とを有し、閉塞部１１の他方の表面が下になるように載置した状態で、延出部１２に棒状体３を計量できる窪みが形成されている。【選択図】  図３
2019026356.tif 000002
【特許請求の範囲】
【請求項１】
容器の開口に取り付け可能な蓋であって、
容器の開口を閉塞する閉塞部と、
閉塞部の一方の表面から延出する延出部とを有し、
閉塞部の他方の表面が下になるように載置した状態で、延出部に棒状体を計量できる窪みが形成されていることを特徴とする蓋。
【請求項２】
延出部は、閉塞部の一方の表面から立設する壁であり、
対となる窪みが互いに対向する位置に形成されていることを特徴とする請求項１に記載の蓋。
【請求項３】
対となる窪みが、複数設けられており、
対毎に窪みの大きさが異なることを特徴とする請求項２に記載の蓋。
【請求項４】
窪み又は窪みの近傍には、計量できる量を示す表示が設けられていることを特徴とする請求項１から３のいずれかに記載の蓋。
【発明の詳細な説明】
【技術分野】
【０００１】
本発明は、容器の開口に取り付け可能な蓋であって、特に棒状体を収容する容器の開口を閉塞する蓋に関するものである。
【背景技術】
【０００２】
棒状体のものとして、例えば、スパゲッティ、そば、そうめん、うどん等の乾麺がある。乾麺は、一般的には多数本の棒状体が、包装用袋に入った状態で販売されている。包装用袋には、所定量の重さの乾麺が入っている。
【０００３】
消費者が購入した乾麺は、包装用袋に入ったまま保存される場合もあるし、包装用袋から取り出して容器に収容して保存する場合もある。
【０００４】
乾麺を茹でる際には、乾麺を計量して、鍋の沸騰したお湯に投入する。
【０００５】
このような乾麺を収容する容器として、特許文献１に示すものがある。
【０００６】
特許文献１の容器は、蓋が容器に取り付けられた状態で、蓋に設けられた開口部の大きさによって、一定量の乾麺を取り出すことができるようになっている。
【先行技術文献】
【特許文献】
【０００７】
【特許文献１】特開２０１１−１１８０１号公報
【発明の概要】
【発明が解決しようとする課題】
【０００８】
計量した乾麺を事前に用意しておくと、鍋のお湯が沸騰したら速やかに鍋に投入できる。
【０００９】
容器から計量して取り出した乾麺をキッチンのワークトップに載置すると、ワークトップの表面に広がってしまう。沸騰した湯に入れるために、乾麺を再び取りまとめるのに手間取るという問題がある。特に表面がタイルのワークトップでは目地部分に乾麺が入り込むと、より一層、乾麺を再び取りまとめるのに手間取るという問題もある。
【００１０】
また、ワークトップの表面に水分等が存在する場合、この水分に乾麺が触れると、乾麺の品質が低下するという問題もある。
【００１１】
そこで、上記問題点より本発明は、複数の棒状体を計量可能で、複数の棒状体がまとまった状態を維持することができ、棒状体の品質の低下を防止できる蓋を提供することを目的とする。
【課題を解決するための手段】
【００１２】
上記課題を解決するため、請求項１の蓋は、容器の開口に取り付け可能な蓋であって、容器の開口を閉塞する閉塞部と、閉塞部の一方の表面から延出する延出部とを有し、閉塞部の他方の表面が下になるように載置した状態で、延出部に棒状体を計量できる窪みが形成されている。
【００１３】
請求項１の蓋によれば、窪みを埋めるように複数の棒状体を収容することによって、蓋で棒状体を計量することができる。また、窪みに複数の棒状体が収容されたままにしておけば、複数の棒状体がまとまった状態を維持することができる。
【００１４】
さらに、蓋を閉塞部の他方の表面が下になるように載置すると窪みが形成されている延出部の下に閉塞部が存在する。窪みに棒状体が収容されたままにしておけば、少なくとも閉塞部の厚さ分だけ、複数の棒状体は蓋が載置された面から離れることとなる。
【００１５】
窪みに棒状体が収容されたままにしておけば、複数の棒状体が湾曲等したとしても、複数の棒状体と蓋が載置された面との接触を最小限に抑えることができる。よって、蓋が載置された面の表面の水分等と乾麺が触れる可能性を低くすることができる。
【００１６】
請求項２の蓋は、請求項１の蓋において、延出部は、閉塞部の一方の表面から立設する壁であり、対となる窪みが互いに対向する位置に形成されている。
【００１７】
請求項２の蓋によれば、請求項１の作用に加えて、延出部が壁となっていることで、蓋自体の軽量化することができる。
【００１８】
また、請求項２の蓋は、対向する対の一方の窪みと他方の窪みとの間でも、計量された複数の棒状体の周囲を握って持ち上げることができる。
【００１９】
さらに、請求項２の蓋は、容器の開口に取り付けた状態で、壁となっている延出部が容器の側周面に沿って外側又は内側に位置することによって、蓋が容器に対して大きく動くことがない。
【００２０】
請求項３の蓋は、請求項２の蓋において、対となる窪みが、複数設けられており、対毎に窪みの大きさが異なる。
【００２１】
請求項３の蓋によれば、請求項２の作用に加えて、対毎に窪みの大きさが異なることによって、対毎に異なる量の棒状体を計量することができる。
【００２２】
請求項４の蓋は、請求項１から３のいずれかの蓋において、窪み又は窪みの近傍には、計量できる量を示す表示が設けられている。
【００２３】
請求項４の蓋によれば、請求項１から３のいずれかの作用に加えて、その窪みで計量できる量を一目見ただけで理解することができる。
【発明の効果】
【００２４】
請求項１から４のいずれかの蓋は、複数の棒状体を計量可能で、複数の棒状体がまとまった状態を維持することができ、棒状体の品質の低下を防止できる。
【図面の簡単な説明】
【００２５】
【図１】本発明の第一実施形態である蓋と、その蓋を開口に取り付けた透明容器の正面図である。
【図２】図１の蓋を閉塞部の他方の表面が下になるように載置した状態を示す斜視図である。
【図３】図２の蓋で棒状体を計量する状態を示す斜視図である。
【図４】図２の蓋で棒状体を計量する状態を示す斜視図である。
【図５】本発明の第二実施形態である蓋と、その蓋を開口に取り付けた透明容器の断面図、及び、蓋を閉塞部の他方の表面が下になるように載置した状態の平面図である。
【図６】本発明の第三実施形態である蓋と、その蓋を開口に取り付けた透明容器の断面図、及び、蓋を閉塞部の他方の表面が下になるように載置した状態の平面図である。
【発明を実施するための形態】
【００２６】
以下、本発明の一実施形態の蓋１について説明する。
【００２７】
蓋１は、棒状体３を収容して保管する容器２の開口に取り付け可能となっている。
【００２８】
棒状体３に該当するものとしては、例えば、スパゲッティ、そば、そうめん、うどん等の乾麺である。
【００２９】
容器２は、底面２１と底面２１に立設する側周面２２とを有する。底面２１は円形であり、容器２は、有底の円筒状に形成されている。容器２は、側周面２２の上端が棒状体３を収容及び取り出し可能な開口となっている。
【００３０】
蓋１は、図１に示すように、容器２の開口に取り付けられると、その開口を閉塞できるようになっている。
【００３１】
蓋１は、容器２の開口を閉塞する閉塞部１１と、閉塞部１１の一方の表面から延出する延出部１２とを有する。
【００３２】
閉塞部１１は、容器２の開口の形状に合わせて円盤状となっている。閉塞部１１は容器２の開口よりも大きくなっている。閉塞部１１は、容器２の開口である側周面２２の上端に当接することによって、容器２の開口を閉塞することができる。
【００３３】
延出部１２は、図１に示すように、蓋１が容器２の開口に取り付けられた状態で、容器２の収容空間内部において容器２の底面２１に向かって延びるようになっている。
【００３４】
延出部１２は、図２に示すように、閉塞部１１の一方の表面から立設する筒状の壁である。延出部１２には、２対の窪み１３，１４が形成されている。
【００３５】
窪み１３は、図２に示すように、対となる窪み１３ａ，１３ｂが互いに対向する位置に形成されている。同様に、窪み１４も、対となる窪み１４ａ，１４ｂが互いに対向する位置に形成されている。
【００３６】
対となる窪み１３ａと窪み１３ｂは、同じ大きさの窪みである。同様に対となる窪み１４ａと窪み１４ｂは、同じ大きさの窪みである。一方、窪み１３ａと窪み１４ａは大きさが異なる。よって、対毎に窪みの大きさが異なるようになっている。
【００３７】
窪み１３ａ及び窪み１４ａには、計量できる量を示す表示１５が設けられている。表示１５は、窪み１３ａ及び窪み１４ａの底に形成された凹部である。例えば、一人前を計量できる窪み１３ａには１個の凹部が形成され、二人前を計量できる窪み１４ａには２個の凹部が形成される。
【００３８】
図３を参照して、対の窪み１３ａ，１３ｂでの複数の棒状体３の計量について説明する。まず、蓋１を閉塞部１１の他方の表面が下になるように載置する。次いで、複数の棒状体３を対の窪み１３ａ，１３ｂを埋めるように収容する。複数の棒状体３は延出部１２の上端に対して、すりきりとなるように収容される。収容された複数の棒状体３は、対の窪み１３ａ，１３ｂで定められた量となっている。
【００３９】
図４を参照して、同様の手順で、対の窪み１４ａ，１４ｂでも、対の窪み１４ａ，１４ｂで定められた量で複数の棒状体３の計量することができる。
【００４０】
以下、本発明の第二実施形態である蓋４について、図５を参照して説明する。
【００４１】
容器２は、第一実施形態と同一の容器である。
【００４２】
蓋４は、図５（ａ）に示すように、容器２の開口に取り付けられると、その開口を閉塞できるようになっている。
【００４３】
閉塞部４１は、容器２の開口の形状に合わせて円盤状となっている。閉塞部４１は容器２の開口よりも大きくなっている。閉塞部４１は、容器２の開口である側周面２２の上端に当接することによって、容器２の開口を閉塞することができる。
【００４４】
延出部４２は、図５（ａ）に示すように、蓋４が容器２の開口に取り付けられた状態で、容器２の収容空間の外において、容器２の底面２１に向かって延びるようになっている。
【００４５】
延出部４２は、図５に示すように、閉塞部４１の一方の表面から立設する筒状の壁である。延出部４２には、２対の窪み４３，４４が形成されている。
【００４６】
窪み４３は、図５（ｂ）、対となる窪み４３ａ，４３ｂが互いに対向する位置に形成されている。同様に、窪み４４も、対となる窪み４４ａ，４４ｂが互いに対向する位置に形成されている。
【００４７】
対となる窪み４３ａ，４３ｂ、及び、対となる窪み４４ａ，４４ｂは、前述の第一実施形態の対となる窪み１３ａ，１３ｂ、及び、対となる窪み１４ａ，１４ｂと同一の構成及び作用を有する。
【００４８】
以下、本発明の第三実施形態である蓋５について、図６を参照して説明する。
【００４９】
容器２は、第一実施形態と同一の容器である。
【００５０】
蓋５は、図６（ａ）に示すように、容器２の開口に取り付けられると、その開口を閉塞できるようになっている。
【００５１】
蓋５は、容器２の開口を閉塞する閉塞部５１と、閉塞部５１の一方の表面から延出する延出部５２とを有する。
【００５２】
閉塞部５１は、容器２の開口の形状に合わせて円盤状となっている。閉塞部５１は容器２の開口よりも大きくなっている。閉塞部５１は、容器２の開口である側周面２２の上端に当接することによって、容器２の開口を閉塞することができる。
【００５３】
延出部５２は、図６（ａ）に示すように、蓋５が容器２の開口に取り付けられた状態で、容器２の収容空間内部において容器２の底面２１に向かって延びるようになっている。
【００５４】
延出部５２は、図２に示すように、閉塞部５１の一方の表面から突出する円柱体である。閉塞部５１の他方の表面が下になるように載置した状態で、延出部５２の円柱の上面には、平面視で２本の直線状の窪み５３，５４が形成されている。
【００５５】
２本の直線状の窪み５３，５４は、互いに交差している。２本の直線状の窪み５３，５４のそれぞれの範囲は図６（ｂ）の一点鎖線で示した範囲である。
【００５６】
２本の直線状の窪み５３，５４は、深さ及び形状はほぼ同じであり、幅が異なることで大きさが異なる窪みとなっている。
【００５７】
直線状の窪み５３での複数の棒状体３の計量について説明する。まず、蓋５を閉塞部５１の他方の表面が下になるように載置する。次いで、複数の棒状体３を直線状の窪み５３を埋めるように収容する。収容された複数の棒状体３は、直線状の窪み５３で定められた量となっている。
【００５８】
同様の手順で、直線状の窪み５４でも、直線状の窪み５４で定められた量で複数の棒状体３の計量することができる。
【００５９】
上記実施形態では、棒状体３は、スパゲッティ、そば、そうめん、うどん等の乾麺であることを例示して説明したが、これに限定されることはない。蓋で計量可能な棒状体であれば、スパゲッティ、そば、そうめん、うどん等の乾麺以外の棒状体であってもよい。
【００６０】
上記実施形態では、容器２は、有底の円筒状に形成されている場合について説明したが、これに限定されることはない。棒状体を収容できる容器であって、本発明の蓋でその開口を閉塞できるものであれば、他の形状であってもよい。
【００６１】
上記実施形態では、閉塞部は、容器２の開口の形状に合わせて円盤状となっている場合に説明したが、これに限定されることはない。容器２の開口を閉塞できる形状であれば、他の形状であってもよい。
【００６２】
上記実施形態では、蓋の閉塞部は、容器２の開口である側周面２２の上端に当接することによって、容器２の開口を閉塞することができる場合について説明したが、これに限定されることはない。例えば、容器と蓋が螺合等することによって開口を閉塞されるようになっていてもよい。
【００６３】
上記第一及び第二実施形態では、２対の窪みが形成されている場合について説明したが、これに限定されることはない。窪みは、１個の対の窪み又は３個以上の対の窪みが形成されていてもよい。
【００６４】
上記第三実施形態では、２本の直線状の窪み５３，５４が形成されている場合について説明したが、これに限定されることはない。窪みは、１本の直線状の窪み又は３本以上の直線状の窪みが形成されていてもよい。
【００６５】
上記第一実施形態では、窪みには、計量できる量を示す表示１５が設けられている場合について説明したが、これに限定されることはない。窪みの近傍に計量できる量を示す表示が設けられていてもよい。
【００６６】
上記実施形態では、表示１５は、窪み１３ａ及び窪み１４ａの底に形成された凹部である場合について説明したが、これに限定されることはない。表示は、使用者が計量できる量を理解できるものであれば、例えば、他の形状、文字、模様、色彩等を利用したものであってもよい。
【符号の説明】
【００６７】
１      蓋
２      容器
３      棒状体
４      蓋
５      蓋
１１    閉塞部
１２    延出部
１３，１３ａ，１３ｂ    窪み
１４，１４ａ，１４ｂ    窪み
１５    表示
２１    底面
２２    側周面
４１    閉塞部
４２    延出部
４３，４３ａ，４３ｂ    窪み
４４，４４ａ，４４ｂ    窪み
５１    閉塞部
５２    延出部
５３，５４    直線状の窪み
【図１】
2019026356.tif 000003
【図２】
2019026356.tif 000004
【図３】
2019026356.tif 000005
【図４】
2019026356.tif 000006
【図５】
2019026356.tif 000007
【図６】
2019026356.tif 000008
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
容器の開口に取り付け可能な蓋であって、
容器の開口を閉塞する閉塞部と、
閉塞部の一方の表面から延出する延出部とを有し、
閉塞部の他方の表面が下になるように載置した状態で、延出部に棒状体を計量できる窪みが形成されており、
棒状体の軸線が重力方向と略直交する状態で棒状体が窪みに収容されることを特徴とする蓋。
【請求項２】
延出部は、閉塞部の一方の表面から立設する壁であり、
対となる窪みが互いに対向する位置に形成されていることを特徴とする請求項１に記載の蓋。
【請求項３】
対となる窪みが、複数設けられており、
対毎に窪みの大きさが異なることを特徴とする請求項２に記載の蓋。
【請求項４】
窪み又は窪みの近傍には、計量できる量を示す表示が設けられていることを特徴とする請求項１から３のいずれかに記載の蓋。
【手続補正２】
【補正対象書類名】明細書
【補正対象項目名】全文
【補正方法】変更
【補正の内容】
【発明の詳細な説明】
【技術分野】
【０００１】
本発明は、容器の開口に取り付け可能な蓋であって、特に棒状体を収容する容器の開口を閉塞する蓋に関するものである。
【背景技術】
【０００２】
棒状体のものとして、例えば、スパゲッティ、そば、そうめん、うどん等の乾麺がある。乾麺は、一般的には多数本の棒状体が、包装用袋に入った状態で販売されている。包装用袋には、所定量の重さの乾麺が入っている。
【０００３】
消費者が購入した乾麺は、包装用袋に入ったまま保存される場合もあるし、包装用袋から取り出して容器に収容して保存する場合もある。
【０００４】
乾麺を茹でる際には、乾麺を計量して、鍋の沸騰したお湯に投入する。
【０００５】
このような乾麺を収容する容器として、特許文献１に示すものがある。
【０００６】
特許文献１の容器は、蓋が容器に取り付けられた状態で、蓋に設けられた開口部の大きさによって、一定量の乾麺を取り出すことができるようになっている。
【先行技術文献】
【特許文献】
【０００７】
【特許文献１】特開２０１１−１１８０１号公報
【発明の概要】
【発明が解決しようとする課題】
【０００８】
計量した乾麺を事前に用意しておくと、鍋のお湯が沸騰したら速やかに鍋に投入できる。
【０００９】
容器から計量して取り出した乾麺をキッチンのワークトップに載置すると、ワークトップの表面に広がってしまう。沸騰した湯に入れるために、乾麺を再び取りまとめるのに手間取るという問題がある。特に表面がタイルのワークトップでは目地部分に乾麺が入り込むと、より一層、乾麺を再び取りまとめるのに手間取るという問題もある。
【００１０】
また、ワークトップの表面に水分等が存在する場合、この水分に乾麺が触れると、乾麺の品質が低下するという問題もある。
【００１１】
そこで、上記問題点より本発明は、複数の棒状体を計量可能で、複数の棒状体がまとまった状態を維持することができ、棒状体の品質の低下を防止できる蓋を提供することを目的とする。
【課題を解決するための手段】
【００１２】
上記課題を解決するため、請求項１の蓋は、容器の開口に取り付け可能な蓋であって、容器の開口を閉塞する閉塞部と、閉塞部の一方の表面から延出する延出部とを有し、閉塞部の他方の表面が下になるように載置した状態で、延出部に棒状体を計量できる窪みが形成されており、棒状体の軸線が重力方向と略直交する状態で棒状体が窪みに収容されるようになっている。
【００１３】
請求項１の蓋によれば、窪みを埋めるように複数の棒状体を収容することによって、蓋で棒状体を計量することができる。また、窪みに複数の棒状体が収容されたままにしておけば、複数の棒状体がまとまった状態を維持することができる。
【００１４】
さらに、蓋を閉塞部の他方の表面が下になるように載置すると窪みが形成されている延出部の下に閉塞部が存在する。窪みに棒状体が収容されたままにしておけば、少なくとも閉塞部の厚さ分だけ、複数の棒状体は蓋が載置された面から離れることとなる。
【００１５】
窪みに棒状体が収容されたままにしておけば、複数の棒状体が湾曲等したとしても、複数の棒状体と蓋が載置された面との接触を最小限に抑えることができる。よって、蓋が載置された面の表面の水分等と乾麺が触れる可能性を低くすることができる。
【００１６】
請求項２の蓋は、請求項１の蓋において、延出部は、閉塞部の一方の表面から立設する壁であり、対となる窪みが互いに対向する位置に形成されている。
【００１７】
請求項２の蓋によれば、請求項１の作用に加えて、延出部が壁となっていることで、蓋自体の軽量化することができる。
【００１８】
また、請求項２の蓋は、対向する対の一方の窪みと他方の窪みとの間でも、計量された複数の棒状体の周囲を握って持ち上げることができる。
【００１９】
さらに、請求項２の蓋は、容器の開口に取り付けた状態で、壁となっている延出部が容器の側周面に沿って外側又は内側に位置することによって、蓋が容器に対して大きく動くことがない。
【００２０】
請求項３の蓋は、請求項２の蓋において、対となる窪みが、複数設けられており、対毎に窪みの大きさが異なる。
【００２１】
請求項３の蓋によれば、請求項２の作用に加えて、対毎に窪みの大きさが異なることによって、対毎に異なる量の棒状体を計量することができる。
【００２２】
請求項４の蓋は、請求項１から３のいずれかの蓋において、窪み又は窪みの近傍には、計量できる量を示す表示が設けられている。
【００２３】
請求項４の蓋によれば、請求項１から３のいずれかの作用に加えて、その窪みで計量できる量を一目見ただけで理解することができる。
【発明の効果】
【００２４】
請求項１から４のいずれかの蓋は、複数の棒状体を計量可能で、複数の棒状体がまとまった状態を維持することができ、棒状体の品質の低下を防止できる。
【図面の簡単な説明】
【００２５】
【図１】本発明の第一実施形態である蓋と、その蓋を開口に取り付けた透明容器の正面図である。
【図２】図１の蓋を閉塞部の他方の表面が下になるように載置した状態を示す斜視図である。
【図３】図２の蓋で棒状体を計量する状態を示す斜視図である。
【図４】図２の蓋で棒状体を計量する状態を示す斜視図である。
【図５】本発明の第二実施形態である蓋と、その蓋を開口に取り付けた透明容器の断面図、及び、蓋を閉塞部の他方の表面が下になるように載置した状態の平面図である。
【図６】本発明の第三実施形態である蓋と、その蓋を開口に取り付けた透明容器の断面図、及び、蓋を閉塞部の他方の表面が下になるように載置した状態の平面図である。
【発明を実施するための形態】
【００２６】
以下、本発明の一実施形態の蓋１について説明する。
【００２７】
蓋１は、棒状体３を収容して保管する容器２の開口に取り付け可能となっている。
【００２８】
棒状体３に該当するものとしては、例えば、スパゲッティ、そば、そうめん、うどん等の乾麺である。
【００２９】
容器２は、底面２１と底面２１に立設する側周面２２とを有する。底面２１は円形であり、容器２は、有底の円筒状に形成されている。容器２は、側周面２２の上端が棒状体３を収容及び取り出し可能な開口となっている。
【００３０】
蓋１は、図１に示すように、容器２の開口に取り付けられると、その開口を閉塞できるようになっている。
【００３１】
蓋１は、容器２の開口を閉塞する閉塞部１１と、閉塞部１１の一方の表面から延出する延出部１２とを有する。
【００３２】
閉塞部１１は、容器２の開口の形状に合わせて円盤状となっている。閉塞部１１は容器２の開口よりも大きくなっている。閉塞部１１は、容器２の開口である側周面２２の上端に当接することによって、容器２の開口を閉塞することができる。
【００３３】
延出部１２は、図１に示すように、蓋１が容器２の開口に取り付けられた状態で、容器２の収容空間内部において容器２の底面２１に向かって延びるようになっている。
【００３４】
延出部１２は、図２に示すように、閉塞部１１の一方の表面から立設する筒状の壁である。延出部１２には、２対の窪み１３，１４が形成されている。
【００３５】
窪み１３は、図２に示すように、対となる窪み１３ａ，１３ｂが互いに対向する位置に形成されている。同様に、窪み１４も、対となる窪み１４ａ，１４ｂが互いに対向する位置に形成されている。
【００３６】
対となる窪み１３ａと窪み１３ｂは、同じ大きさの窪みである。同様に対となる窪み１４ａと窪み１４ｂは、同じ大きさの窪みである。一方、窪み１３ａと窪み１４ａは大きさが異なる。よって、対毎に窪みの大きさが異なるようになっている。
【００３７】
窪み１３ａ及び窪み１４ａには、計量できる量を示す表示１５が設けられている。表示１５は、窪み１３ａ及び窪み１４ａの底に形成された凹部である。例えば、一人前を計量できる窪み１３ａには１個の凹部が形成され、二人前を計量できる窪み１４ａには２個の凹部が形成される。
【００３８】
図３を参照して、対の窪み１３ａ，１３ｂでの複数の棒状体３の計量について説明する。まず、蓋１を閉塞部１１の他方の表面が下になるように載置する。次いで、複数の棒状体３を対の窪み１３ａ，１３ｂを埋めるように収容する。複数の棒状体３は延出部１２の上端に対して、すりきりとなるように収容される。収容された複数の棒状体３は、対の窪み１３ａ，１３ｂで定められた量となっている。
【００３９】
図４を参照して、同様の手順で、対の窪み１４ａ，１４ｂでも、対の窪み１４ａ，１４ｂで定められた量で複数の棒状体３の計量することができる。
【００４０】
以下、本発明の第二実施形態である蓋４について、図５を参照して説明する。
【００４１】
容器２は、第一実施形態と同一の容器である。
【００４２】
蓋４は、図５（ａ）に示すように、容器２の開口に取り付けられると、その開口を閉塞できるようになっている。
【００４３】
閉塞部４１は、容器２の開口の形状に合わせて円盤状となっている。閉塞部４１は容器２の開口よりも大きくなっている。閉塞部４１は、容器２の開口である側周面２２の上端に当接することによって、容器２の開口を閉塞することができる。
【００４４】
延出部４２は、図５（ａ）に示すように、蓋４が容器２の開口に取り付けられた状態で、容器２の収容空間の外において、容器２の底面２１に向かって延びるようになっている。
【００４５】
延出部４２は、図５に示すように、閉塞部４１の一方の表面から立設する筒状の壁である。延出部４２には、２対の窪み４３，４４が形成されている。
【００４６】
窪み４３は、図５（ｂ）、対となる窪み４３ａ，４３ｂが互いに対向する位置に形成されている。同様に、窪み４４も、対となる窪み４４ａ，４４ｂが互いに対向する位置に形成されている。
【００４７】
対となる窪み４３ａ，４３ｂ、及び、対となる窪み４４ａ，４４ｂは、前述の第一実施形態の対となる窪み１３ａ，１３ｂ、及び、対となる窪み１４ａ，１４ｂと同一の構成及び作用を有する。
【００４８】
以下、本発明の第三実施形態である蓋５について、図６を参照して説明する。
【００４９】
容器２は、第一実施形態と同一の容器である。
【００５０】
蓋５は、図６（ａ）に示すように、容器２の開口に取り付けられると、その開口を閉塞できるようになっている。
【００５１】
蓋５は、容器２の開口を閉塞する閉塞部５１と、閉塞部５１の一方の表面から延出する延出部５２とを有する。
【００５２】
閉塞部５１は、容器２の開口の形状に合わせて円盤状となっている。閉塞部５１は容器２の開口よりも大きくなっている。閉塞部５１は、容器２の開口である側周面２２の上端に当接することによって、容器２の開口を閉塞することができる。
【００５３】
延出部５２は、図６（ａ）に示すように、蓋５が容器２の開口に取り付けられた状態で、容器２の収容空間内部において容器２の底面２１に向かって延びるようになっている。
【００５４】
延出部５２は、図２に示すように、閉塞部５１の一方の表面から突出する円柱体である。閉塞部５１の他方の表面が下になるように載置した状態で、延出部５２の円柱の上面には、平面視で２本の直線状の窪み５３，５４が形成されている。
【００５５】
２本の直線状の窪み５３，５４は、互いに交差している。２本の直線状の窪み５３，５４のそれぞれの範囲は図６（ｂ）の一点鎖線で示した範囲である。
【００５６】
２本の直線状の窪み５３，５４は、深さ及び形状はほぼ同じであり、幅が異なることで大きさが異なる窪みとなっている。
【００５７】
直線状の窪み５３での複数の棒状体３の計量について説明する。まず、蓋５を閉塞部５１の他方の表面が下になるように載置する。次いで、複数の棒状体３を直線状の窪み５３を埋めるように収容する。収容された複数の棒状体３は、直線状の窪み５３で定められた量となっている。
【００５８】
同様の手順で、直線状の窪み５４でも、直線状の窪み５４で定められた量で複数の棒状体３の計量することができる。
【００５９】
上記実施形態では、棒状体３は、スパゲッティ、そば、そうめん、うどん等の乾麺であることを例示して説明したが、これに限定されることはない。蓋で計量可能な棒状体であれば、スパゲッティ、そば、そうめん、うどん等の乾麺以外の棒状体であってもよい。
【００６０】
上記実施形態では、容器２は、有底の円筒状に形成されている場合について説明したが、これに限定されることはない。棒状体を収容できる容器であって、本発明の蓋でその開口を閉塞できるものであれば、他の形状であってもよい。
【００６１】
上記実施形態では、閉塞部は、容器２の開口の形状に合わせて円盤状となっている場合に説明したが、これに限定されることはない。容器２の開口を閉塞できる形状であれば、他の形状であってもよい。
【００６２】
上記実施形態では、蓋の閉塞部は、容器２の開口である側周面２２の上端に当接することによって、容器２の開口を閉塞することができる場合について説明したが、これに限定されることはない。例えば、容器と蓋が螺合等することによって開口を閉塞されるようになっていてもよい。
【００６３】
上記第一及び第二実施形態では、２対の窪みが形成されている場合について説明したが、これに限定されることはない。窪みは、１個の対の窪み又は３個以上の対の窪みが形成されていてもよい。
【００６４】
上記第三実施形態では、２本の直線状の窪み５３，５４が形成されている場合について説明したが、これに限定されることはない。窪みは、１本の直線状の窪み又は３本以上の直線状の窪みが形成されていてもよい。
【００６５】
上記第一実施形態では、窪みには、計量できる量を示す表示１５が設けられている場合について説明したが、これに限定されることはない。窪みの近傍に計量できる量を示す表示が設けられていてもよい。
【００６６】
上記実施形態では、表示１５は、窪み１３ａ及び窪み１４ａの底に形成された凹部である場合について説明したが、これに限定されることはない。表示は、使用者が計量できる量を理解できるものであれば、例えば、他の形状、文字、模様、色彩等を利用したものであってもよい。
【符号の説明】
【００６７】
１      蓋
２      容器
３      棒状体
４      蓋
５      蓋
１１    閉塞部
１２    延出部
１３，１３ａ，１３ｂ    窪み
１４，１４ａ，１４ｂ    窪み
１５    表示
２１    底面
２２    側周面
４１    閉塞部
４２    延出部
４３，４３ａ，４３ｂ    窪み
４４，４４ａ，４４ｂ    窪み
５１    閉塞部
５２    延出部
５３，５４    直線状の窪み